(57)【要約】【課題】  送信した原稿の複数ページ分の画像データを全て確認できる通信装置を提供する。【解決手段】  送信した原稿の画像データを縮小する縮小手段と、縮小された画像データＰ１，Ｐ２，Ｐ３，Ｐ４を送信証３に再配置する再配置手段と、再配置された送信証３を出力する出力手段とを備えた通信装置１であって、再配置手段は、縮小された複数ページ分の画像データＰ１，Ｐ２，Ｐ３，Ｐ４をサムネイルとして再配置するものである。  縮小手段は、原稿のサイズ、原稿のページ数、及び送信証３のサイズに基づいて画像データを縮小するものである。【選択図】      図２ 
2005101802.tif 000002
【特許請求の範囲】
【請求項１】
送信した原稿の画像データを縮小する縮小手段と、前記縮小された画像データを送信証に再配置する再配置手段と、前記再配置された送信証を出力する出力手段とを備えた通信装置であって、
前記再配置手段は、前記縮小された複数ページ分の画像データをサムネイルとして再配置するものであることを特徴とする通信装置。
【請求項２】
前記縮小手段は、前記原稿のサイズ、前記原稿のページ数、及び前記送信証のサイズに基づいて前記画像データを縮小するものである請求項１記載の通信装置。
【請求項３】
前記縮小された画像データの一部を削除する削除手段を備え、前記再配置手段は、前記縮小及び一部を削除された複数ページ分の画像データをサムネイルとして再配置するものである請求項１又は２記載の通信装置。
【発明の詳細な説明】
【技術分野】
【０００１】
本発明は、送信した原稿の画像データ等を確認するための送信証を出力可能なファクシミリ装置等の通信装置に関するものである。
【背景技術】
【０００２】
従来のこの種の通信装置としては、送信した原稿の画像データを縮小する縮小手段と、縮小された画像データを送信証に再配置する再配置手段と、再配置された送信証を出力する出力手段とを備えたもの等が知られている（例えば、特許文献１参照）。
【特許文献１】特開平３−２４０３６４号公報（第１−５頁，第１図等）
【発明の開示】
【発明が解決しようとする課題】
【０００３】
しかしながら、上記のような通信装置においては、送信した原稿が複数ページである場合であっても、送信証に再配置されるのは縮小された第１ページの画像データのみであるので、第２ページ以降の画像データを確認することができないという問題点がある。
【０００４】
本発明は、以上のような問題点に鑑みてなされたものであり、送信した原稿の複数ページ分の画像データを全て確認できる通信装置を提供することを目的とする。
【課題を解決するための手段】
【０００５】
上記目的を達成するための請求項１の発明は、送信した原稿の画像データを縮小する縮小手段と、前記縮小された画像データを送信証に再配置する再配置手段と、前記再配置された送信証を出力する出力手段とを備えた通信装置であって、前記再配置手段は、前記縮小された複数ページ分の画像データをサムネイルとして再配置するものである。
【０００６】
請求項２の発明においては、前記縮小手段は、前記原稿のサイズ、前記原稿のページ数、及び前記送信証のサイズに基づいて前記画像データを縮小するものである。
【０００７】
請求項３の発明は、前記縮小された画像データの一部を削除する削除手段を備え、前記再配置手段は、前記縮小及び一部を削除された複数ページ分の画像データをサムネイルとして再配置するものである。
【発明の効果】
【０００８】
請求項１の発明によれば、縮小された複数ページ分の画像データがサムネイルとして再配置された送信証を出力できるので、送信証により複数ページ分の画像データを全て確認できる。
【０００９】
請求項２の発明によれば、縮小手段が、原稿のサイズ、原稿のページ数、及び送信証のサイズに基づいて画像データを縮小するものであるので、縮小率を適宜に変更して画像データを再配置できる。
【００１０】
請求項３の発明によれば、縮小された画像データの一部を削除する削除手段を備え、再配置手段が、縮小及び一部を削除された画像データを再配置するものであるので、画像データの縮小のし過ぎを回避でき、そのため縮小された画像データが見にくくなるのを防止できる。
【発明を実施するための最良の形態】
【００１１】
以下、本発明の実施形態を図面に基づいて説明する。
実施形態に係る通信装置１は、図１〜図３に示すように、送信した原稿の画像データを縮小する縮小手段と、縮小された画像データＰ１，Ｐ２，Ｐ３，Ｐ４及び送信に関する情報２を送信証３に再配置する再配置手段と、再配置された送信証３を出力する出力手段とを備え、再配置手段は、縮小された複数ページ分の画像データＰ１，Ｐ２，Ｐ３，Ｐ４をサムネイルとして再配置するものである。
【００１２】
なお、ここでいうところのサムネイルとは、複数ページ分の画像データの絵柄が一目で分かるようにそれらを縮小して一覧表示した画像データＰ１，Ｐ２，Ｐ３，Ｐ４をいう。縮小された第１〜第４ページの各画像データＰ１，Ｐ２，Ｐ３，Ｐ４は、図２に示すように、例えば２行×２列に再配置される。
【００１３】
この通信装置１は、図１に示すように、ＣＰＵ（Central Processing Unit，中央処理装置）４、ＲＡＭ（Random Access Memory，随時書き込み読み出しメモリ）５、ＲＯＭ（Read Only Memory，読み出し専用メモリ）６、コーデック（ＣＯＤＥＣ）７、モデム８、ＮＣＵ（Network Control Unit，回線網制御装置）９、読取部１０、記録部１１、表示部１２、操作部１３、及びＬＡＮ（Local Area Network）インターフェース（Ｉ／Ｆ）１４等を備えており、各部４〜１４はバス１５を介して互いに通信可能に接続されている。
【００１４】
ＲＯＭ６には、ＣＰＵ４により各部５〜１４の動作を制御するための各種プログラムが格納されている。ＣＰＵ４は、ＲＯＭ６等に格納されたプログラムに従って各部５〜１４の動作を制御する制御部として機能する。ＲＡＭ５は、送信した原稿の画像データ、縮小された画像データＰ１，Ｐ２，Ｐ３，Ｐ４、送信に関する情報２、各種設定情報、後述するＦコードボックス、管理者用メールアドレス等を記憶する記憶部として機能する。
【００１５】
コーデック７は、画像データを送信のためにＭＨ（Modified Huffman）方式、ＭＲ（Modified READ）方式、ＭＭＲ（Modified Modified READ）方式等により符号化したり、受信した画像データを復号化したりする。また、コーデック７は、電子メールの添付ファイル形式として一般的に利用されている画像フォーマットであるＴＩＦＦ（Tagged Image File Format）形式にも対応して画像データを符号化及び復号化する。
【００１６】
モデム８は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ９は、ＰＳＴＮ（Public Switched Telephone Network，公衆電話交換網）１６に接続されており、電話回線を制御して電話をかけたり切ったりする。
【００１７】
読取部１０は、原稿を読み取り、白黒２値化した画像データを出力する。記録部１１は、電子写真方式等により、受信した画像データ等を記録紙上に記録したり、送信証３を出力したりする。
【００１８】
表示部１２は、操作部１３等に併設されたＬＣＤ（Liquid Crystal Display，液晶ディスプレイ）等で構成されており、各種の画面情報を表示する。操作部１３は、ファクシミリ番号、メールアドレス、サブアドレス、パスワード等の各種情報を入力するための入力キー等を備えている。通信装置１に対するオペレータによる各種操作は、この操作部１３を通じて行われる。
【００１９】
ＬＡＮインターフェース１４は、ＬＡＮ１７と通信装置１とを通信可能に接続するインターフェースである。ＬＡＮ１７にはクライアントＰＣ（Personal Computer）１８が設置されており、通信装置１が有する各種機能をクライアントＰＣ１８からＬＡＮ１７を通じて利用できるようになっている。また、ＬＡＮ１７にはメールサーバ１９や、インターネット２０に接続されたルータ２１等も設置されており、通信装置１はメールサーバ１９やルータ２１等を通じてインターネット２０上の他の電子メール端末装置（図示せず）とインターネットファクシミリ通信を行うことができるようになっている。
【００２０】
上記のように構成された通信装置１は、ファクシミリ通信機能、インターネットファクシミリ通信機能、及びＦコード通信機能を有している。ここで、Ｆコード通信とはＩＴＵ−Ｔの規格に従ったサブアドレスやパスワードを利用して行う通信であり、サブアドレス等と配信先とを対応付けて記憶したＦコードボックスに基づいて、受信した画像データの配信先が決定されるようになっている。
【００２１】
次に、送信証３の出力処理の手順例を図３に示すフローチャートに基づいて説明する。なお、この送信証３の出力処理は、ＲＯＭ６に格納された制御プログラムに基づいてＣＰＵ４が発行する命令に従って行われる。
【００２２】
具体的には、まず、判断手段により、送信した原稿のページ数が１枚であるか否かが判断され（ステップＳ１）、１枚であれば（ステップＳ１でＹＥＳ）、縮小手段により原稿のサイズ及び送信証３のサイズに基づいて画像データが縮小される。２枚以上、例えば４枚であれば（ステップＳ１でＮＯ）、縮小手段により原稿のサイズ、原稿のページ数、及び送信証３のサイズに基づいて画像データが縮小される。原稿のサイズやページ数は、原稿の読取時に読取部１０により検知され、ＲＡＭ５に一時記憶されている。送信証３のサイズは、設定情報の一部としてＲＡＭ５に記憶されている。
【００２３】
次いで、送信した原稿のページ数が例えば４枚である場合、再配置手段により、縮小された画像データＰ１，Ｐ２，Ｐ３，Ｐ４及び送信に関する情報２が送信証３に再配置され（ステップＳ４）、出力手段により、再配置された送信証３が出力されれば（ステップＳ５）、処理が終了する。縮小された画像データＰ１，Ｐ２，Ｐ３，Ｐ４や送信に関する情報２を送信証３に再配置する際のルールを定めた再配置ルールファイルは、ＲＯＭ６等に記憶されており、送信証３の出力処理の際に上記の制御プログラム等と共にＲＡＭ５に読み出される。
【００２４】
なお、送信した原稿のページ数が１枚である場合は、再配置手段により、縮小された画像データＰ１及び送信に関する情報２が送信証３に再配置され（ステップＳ４）、上記と同様、出力手段により、再配置された送信証３が出力されれば（ステップＳ５）、処理が終了する。
【００２５】
送信に関する情報２としては、図２に示すように、「2003年XX月1日(金) 10:08」等の送信開始日時２２、「○○○○株式会社」等の発信元名２３、「Fax:075-XXXX-XXXX」等の発信元ファクシミリ番号２４、通信管理テーブル２５、「１／４ オモテ」・「２／４ ウラ」・「３／４ オモテ」・「４／４ ウラ」等のページ情報２６等が挙げられる。通信管理テーブル２５のデータ項目としては、送信先のダイヤル番号２７、「標準」等のモード（画質モード）２８、「15,10:08」等の送信の開始日時２９、「0’34”」等の送信に要した合計の時間３０、「4」等の送信した原稿の枚数（ページ数）３１、「# OK」等の送信の結果３２、備考３３等が挙げられる。なお、読取部１０が原稿の両面を読み取り可能であれば、上記のように、原稿の表面の画像データと裏面の画像データとを識別するための「オモテ」・「ウラ」等の表裏情報３４をページ情報２６に付加することができる。また、図４及び図５に示すように、各画像データＰ１，Ｐ２，Ｐ３，Ｐ４の上部等に発信元名２３、発信元ファクシミリ番号２４、各ページの画像データＰ１，Ｐ２，Ｐ３，Ｐ４の送信開始日時２２、「P.01/04」等のページ情報２６等の送信に関する情報２を付加するようにしておけば、これら送信に関する情報２を付加して原稿の画像データを送信する場合には、実際に送信された画像データＰ１，Ｐ２，Ｐ３，Ｐ４を確認できるという利点がある。
【００２６】
このように、通信装置１によれば、縮小された複数ページ分の画像データＰ１，Ｐ２，Ｐ３，Ｐ４がサムネイルとして再配置された送信証３を出力できるので、送信証３により複数ページ分の画像データを全て確認できるという利点がある。ここで、縮小手段が、図３に示すように、原稿のサイズ、原稿のページ数、及び送信証３のサイズに基づいて画像データを縮小するものであれば、縮小率を適宜に変更して画像データＰ１，Ｐ２，Ｐ３，Ｐ４を再配置できるという利点がある。
【００２７】
また、通信装置１が縮小された画像データの一部を削除する削除手段を備え、再配置手段が、縮小及び一部を削除された画像データを再配置するものであれば、画像データの縮小のし過ぎを回避できるので、縮小された画像データが見にくくなるのを防止できるという利点がある。
【００２８】
この場合、送信証３の出力処理においては、図６に示すように、削除手段により、上記と同様にして縮小された画像データの一部が削除される（ステップＳ６）。次いで、再配置手段により、縮小及び一部を削除された画像データ、並びに送信に関する情報２が送信証３に再配置され（ステップＳ７）、出力手段により、再配置された送信証３が出力されれば（ステップＳ８）、処理が終了する。
【００２９】
なお、送信した原稿のページ数は、この実施形態のような第１〜第４ページの４枚である場合に限定されるものではなく、２枚、３枚、又は５枚以上であってもよい。
【産業上の利用可能性】
【００３０】
以上のように、本発明に係る通信装置は、送信した原稿が複数ページである場合に有用であり、特に送信証により複数ページ分の画像データをサムネイルとして確認するのに適している。
【図面の簡単な説明】
【００３１】
【図１】実施形態に係る通信装置の構成例を示すブロック図。
【図２】送信証の一例を示す平面図。
【図３】送信証の出力処理の手順例を示すフローチャート。
【図４】縮小された第１ページの画像データの例を示す平面図。
【図５】縮小された第４ページの画像データの例を示す平面図。
【図６】送信証の出力処理の他の手順例を示すフローチャート。
【符号の説明】
【００３２】
１  通信装置
Ｐ１，Ｐ２，Ｐ３，Ｐ４  縮小された画像データ
３  送信証
【図１】
2005101802.tif 000003
【図２】
2005101802.tif 000004
【図３】
2005101802.tif 000005
【図４】
2005101802.tif 000006
【図５】
2005101802.tif 000007
【図６】
2005101802.tif 000008